(57)【要約】【課題】部品点数を低減でき、かつ、建物への取付作業を簡略化できる嵌め殺し窓を提供すること。【解決手段】窓枠１０に、面材３４を組み込んだ障子３０を取り付けて形成され、障子３０の下框３２が下枠１２に係止され、上枠１１または上框３１の一方に固定され、他方に形成された被係合部３７に係合する係合部４３を有した係合部材４０は、係合部４３が係合状態位置と非係合状態位置とに移動可能とされ、係合部４３の非係合状態位置への移動を規制する規制手段により係合状態を維持されることによって、障子３０が窓枠１０に固定される。従って、竪框３３と縦枠１３とを固定しなくても、障子３０が、窓枠１０に対して倒れたり、外れることなく確実に取り付けできるとともに、上框３１を固定する作業だけで障子３０を固定できるため、部品点数を低減し作業手間を軽減できる。【選択図】　図１
2004052313.tif 000002
【特許請求の範囲】
【請求項１】
上枠、下枠、および左右の縦枠を四周枠組みした窓枠と、上框、下框、および左右の竪框を四周框組みして面材を組み込んだ障子とを備え、前記窓枠に前記障子を取り付けて形成される嵌め殺し窓であって、
前記障子の下框は、前記窓枠の下枠に対して少なくとも室内外方向に移動不能に係止され、
前記上枠または前記上框の一方には、他方の上枠または上框に設けられた被係合部に係合して前記上框を前記上枠に対して少なくとも室内外方向に移動不能にする係合状態位置と、前記係合が外れる非係合状態位置とに移動可能とされた係合部を有する係合部材が固定され、
前記係合部材の係合部を係合状態位置に維持してその移動を規制可能な規制手段が設けられた嵌め殺し窓。
【請求項２】
前記係合部材は、その一端側が前記上枠または前記上框の一方に固定され、かつ、その他端側が前記上框の室内面より室内側まで延長されており、
前記規制手段は、前記係合部材の他端側を前記上枠または前記上框に室内側から固定して、前記係合部を係合状態位置に維持するビスにより構成される請求項１に記載の嵌め殺し窓。
【請求項３】
前記係合部材は、その一端側が前記上枠または前記上框の一方に固定され、かつ、その他端側が当該一方の上枠または上框と所定間隔を介して対向しており、
前記規制手段は、前記間隔部分に挿入されて前記係合部を係合状態位置に規制する規制状態位置と、当該間隔部分から外れる非規制状態位置とに移動可能とされた規制部を有し、かつ、室内側から操作可能に前記上枠または前記上框に設けられた規制部材で構成される請求項１に記載の嵌め殺し窓。
【請求項４】
前記係合部材は、弾性材料から形成され、前記係合部は、前記被係合部と係合する方向に付勢されている請求項１ないし請求項３のいずれかに記載の嵌め殺し窓。
【請求項５】
上枠、下枠、および左右の縦枠を四周枠組みした窓枠と、上框、下框、および左右の竪框を四周框組みして面材を組み込んだ障子とを備え、前記窓枠に前記障子を取り付けて形成される嵌め殺し窓であって、
前記障子の下框は、前記窓枠の下枠に対して少なくとも室内外方向に移動不能に係止され、
前記上枠または前記上框の一方には、被係止部材が固定され、
前記上枠または前記上框の他方には、前記被係止部材を係止して、前記上框を前記上枠に対して少なくとも室内外方向に移動不能にする係止手段が設けられた嵌め殺し窓。
【請求項６】
前記被係止部材は、その一端側が前記上框に固定され、その他端側が前記上框の室内面より室内側まで延長されており、
前記係止手段は、前記被係止部材の他端側を前記上枠に室内側から固定するビスにより構成される請求項５に記載の嵌め殺し窓。
【請求項７】
前記被係止部材は、その一端側が前記上枠または前記上框の一方に固定され、かつ、その他端側に当該一方の上枠または上框から他方に向かって突出した突出部を有しており、
前記係止手段は、前記被係止部材の突出部を挟持することで当該被係止部材を係止する係止状態位置と、前記突出部を挟持しない非係止状態位置とに移動可能とされ、かつ、室内側から操作可能に前記上枠または前記上框の他方に設けられた係止部材で構成される請求項５に記載の嵌め殺し窓。
【請求項８】
前記上枠または前記上框の一方には、他方の上枠または上框に設けられた被係止部を係止する係止部を有し、かつ、弾性材料からなる仮止部材が設けられ、
前記仮止部材の係止部が前記被係止部に向かって付勢され、当該被係止部を係止することで、前記障子が前記窓枠の所定位置に仮止めされる請求項１ないし請求項７のいずれかに記載の嵌め殺し窓。
【請求項９】
上枠、下枠、および左右の縦枠を四周枠組みした窓枠と、上框、下框、および左右の竪框を四周框組みして面材を組み込んだ障子とを備え、前記窓枠に前記障子を取り付けて形成される嵌め殺し窓であって、
前記障子の下框は、前記窓枠の下枠に対して少なくとも室内外方向に移動不能に係止され、
前記上枠または前記上框の一方には、弾性材料からなり、かつ、前記上枠または前記上框の他方に向かって付勢され、当該他方に設けられた被係合部に係合する係合部を有する係合部材が室内側から着脱可能に固定され、
前記係合部材の係合部が前記被係合部に係合して、前記上框が前記上枠に対して少なくとも室内外方向に移動不能にされた嵌め殺し窓。
【請求項１０】
前記係合部材は、板材から形成され、前記上框の室内面より室内側まで前記上枠に沿って延び、当該上枠にビス止めされる取付面部と、この取付面部の室外側端から室内方向に向かって斜め下方に傾斜して延びる傾斜面部とを備え、
前記係合部は、前記傾斜面部の室内側端縁に設けられ、
前記被係合部は、前記上框から前記上枠に向かって突出する突片で形成され、前記係合部が室外側から当接する当接面を備えて構成された請求項９に記載の嵌め殺し窓。
【請求項１１】
前記係合部材は、板材から断面クランク状に形成され、前記上框の室内面より室内側まで延長された位置で前記上枠にビス止めされており、
前記係合部は、前記係合部材の室外側に設けられた係合孔であり、
前記被係合部は、室内側に向かって高さが低くなる断面略楔形に形成され、前記係合孔と嵌合する突起部材で構成された請求項９に記載の嵌め殺し窓。
【発明の詳細な説明】
【０００１】
【発明の属する技術分野】
本発明は、嵌め殺し窓およびその取付方法に関し、特に窓枠に障子を取り付けて形成される嵌め殺し窓ユニットの取付構造の改良に関する。
【０００２】
【背景技術】
従来、嵌め殺し窓は、建物の躯体等に取り付けられた窓枠に直接ガラスやパネル等の面材を組み込んで形成されることが一般的である。
一方、窓には、嵌め殺し窓の他に、開き窓や辷り出し窓、上げ下げ窓、引違い窓等、各種形式のものがあり、これらの形式ごとに窓枠のサッシが製作されている。形式ごとに異なるサッシでは、製作時における型の種類数が膨大になり、製作された製品種類ごとの在庫管理が煩雑になる。また、建設現場での取付方法も形式ごとに異なるため、取付作業に掛かる手間や取付部品の点数が増大するという問題がある。
そこで、窓枠のサッシの種類数を削減するために、嵌め殺し窓と、開き窓や辷り出し窓との窓枠を共通化する方法が提案されている。この方法では、共通化された窓枠に、ガラス等が組み込まれた障子をアタッチメント等で固定することで嵌め殺し窓を構成し、障子をヒンジ等で開閉可能に取り付けることで開き窓や辷り出し窓を構成する。
【０００３】
このような嵌め殺し窓の取付構造では、先ず、上枠、下枠、および左右の縦枠を四周枠組みして形成した窓枠を建物の躯体等に固定する。続いて、上框、下框、および左右の竪框を四周框組みしてガラス等を組み込んだ障子を窓枠に固定することとなる。この際、従来は、障子の下框を窓枠の下枠上に載置して荷重を支持するとともに、障子の竪框を窓枠の縦枠に固定することによって障子が室内外方向に倒れないようにして嵌め殺し窓を構成していた。
この際、障子の竪框と窓枠の縦枠とを固定する方法としては、ビス止めする方法や、専用のアタッチメント等を用いる方法が一般的に採用されている。
【０００４】
【発明が解決しようとする課題】
このような従来の嵌め殺し窓では、障子の竪框および窓枠の縦枠のそれぞれ複数箇所をビスやアタッチメントで固定する必要があり、固定箇所数が多くなる。従って、ビスやアタッチメントの部品点数が多くなるとともに、固定作業に手間が掛かるという問題がある。
【０００５】
本発明の目的は、部品点数を低減でき、かつ、建物への取付作業を簡略化できる嵌め殺し窓を提供することにある。
【０００６】
【課題を解決するための手段】
本発明の請求項１に係る嵌め殺し窓は、上枠、下枠、および左右の縦枠を四周枠組みした窓枠と、上框、下框、および左右の竪框を四周框組みして面材を組み込んだ障子とを備え、前記窓枠に前記障子を取り付けて形成される嵌め殺し窓であって、前記障子の下框は、前記窓枠の下枠に対して少なくとも室内外方向に移動不能に係止され、前記上枠または前記上框の一方には、他方の上枠または上框に設けられた被係合部に係合して前記上框を前記上枠に対して少なくとも室内外方向に移動不能にする係合状態位置と、前記係合が外れる非係合状態位置とに移動可能とされた係合部を有する係合部材が固定され、前記係合部材の係合部を係合状態位置に維持してその移動を規制可能な規制手段が設けられたことを特徴とする。
【０００７】
ここで、障子の下框は、例えば、下框に形成された位置決め孔を、窓枠の下枠上に設置されて上方に突出する位置決め部材に嵌合する等の手段によって、下枠に対して少なくとも室内外方向に関して移動不能に係止されていればよく、さらに、窓枠の見付け方向に関しての移動を規制されてもよい。
【０００８】
このような本発明によれば、窓枠の下枠に障子の下框を室内外方向に移動不能に係止するとともに、上枠または上框の一方に固定された係合部材の係合部が、他方に設けられた非係合部に係合し、さらに係合部の移動を規制する規制手段により係合状態を維持することによって、障子が窓枠に固定される。従って、下框が係止された状態で、上框を上枠に固定することによって障子が上下で確実に固定され、従来のように竪框と縦枠とを固定しなくても、障子が、窓枠に対して倒れたり、外れることなく、嵌め殺し窓を構成できる。また、従来のように竪框と縦枠とをそれぞれ複数箇所固定する場合と比較し、固定箇所数や固定作業の手間が少なくなるので、部品点数を低減し作業手間を軽減できる。
【０００９】
本発明の請求項２に係る嵌め殺し窓では、前記係合部材は、その一端側が前記上枠または前記上框の一方に固定され、かつ、その他端側が前記上框の室内面より室内側まで延長されており、前記規制手段は、前記係合部材の他端側を前記上枠または前記上框に室内側から固定して、前記係合部を係合状態位置に維持するビスにより構成されることを特徴とする。
このような構成では、係合部材の他端側をビス止めにより窓枠の上枠または上框に固定することで、係合部を係合状態位置に規制することによって、係合状態を維持し、障子を確実に固定できる。また、ビスで固定する係合部材の他端側が室内側まで延長されているので、室内側からビスを締めるだけで障子を固定でき、取付作業が容易になるとともに、室内側からビスを外すことで障子を容易に外すことができる。
【００１０】
本発明の請求項３に係る嵌め殺し窓では、前記係合部材は、その一端側が前記上枠または前記上框の一方に固定され、かつ、その他端側が当該一方の上枠または上框と所定間隔を介して対向しており、前記規制手段は、前記間隔部分に挿入されて前記係合部を係合状態位置に規制する規制状態位置と、当該間隔部分から外れる非規制状態位置とに移動可能とされた規制部を有し、かつ、室内側から操作可能に前記上枠または前記上框に設けられた規制部材で構成されることを特徴とする。
このような構成では、係合部材の他端側と上枠または上框との間に規制部材の規制部を挿入して、係合部を係合状態位置に規制することによって、係合状態を維持し、障子を確実に固定できる。また、室内側から規制部材を操作し、規制部を規制状態位置に移動することによって、容易に係合状態を維持することができ、障子を外れなくできるとともに、規制部を非規制状態位置に移動し、係合部を非係合状態位置に移動することによって、障子を容易に外すことができる。さらに、ビスをねじ止めする作業が不要で、より一層簡単に障子の取り付けができる。
【００１１】
本発明の請求項４に係る嵌め殺し窓では、前記係合部材は、弾性材料から形成され、前記係合部は、前記被係合部と係合する方向に付勢されていることを特徴とする。
このような構成では、弾性材料から形成された係合部材の弾性力によって係合部が被係合部に係合することによって、規制手段により係合部の移動を規制しなくても、障子を窓枠に仮止めすることができる。従って、障子の取付作業中に作業者が障子を保持しておく必要がなく、取付作業に係る人手を減らし、作業を迅速に行うことができる。
【００１２】
本発明の請求項５に係る嵌め殺し窓は、上枠、下枠、および左右の縦枠を四周枠組みした窓枠と、上框、下框、および左右の竪框を四周框組みして面材を組み込んだ障子とを備え、前記窓枠に前記障子を取り付けて形成される嵌め殺し窓であって、前記障子の下框は、前記窓枠の下枠に対して少なくとも室内外方向に移動不能に係止され、前記上枠または前記上框の一方には、被係止部材が固定され、前記上枠または前記上框の他方には、前記被係止部材を係止して、前記上框を前記上枠に対して少なくとも室内外方向に移動不能にする係止手段が設けられたことを特徴とする。
【００１３】
このような本発明によれば、窓枠の下枠に障子の下框を室内外方向に移動不能に係止するとともに、上枠または上框の一方に固定された被係止部材が、係止手段によって上枠または上框の他方に係止されることによって、障子が窓枠に固定される。従って、下框が係止された状態で、上框を上枠に固定することによって障子が上下で確実に固定され、従来のように竪框と縦枠とを固定しなくても、障子が、窓枠に対して倒れたり、外れることなく、嵌め殺し窓を構成できる。また、従来のように竪框と縦枠とをそれぞれ複数箇所固定する場合と比較し、固定箇所数や固定作業の手間が少なくなるので、部品点数を低減し作業手間を軽減できる。
【００１４】
本発明の請求項６に係る嵌め殺し窓では、前記被係止部材は、その一端側が前記上框に固定され、その他端側が前記上框の室内面より室内側まで延長されており、前記係止手段は、前記被係止部材の他端側を前記上枠に室内側から固定するビスにより構成されることを特徴とする。
このような構成では、障子の上框に固定された被係止部材の他端側が上框よりも室内側まで延長され、この被係止部材の他端側を室内側から上枠にビス止め固定することによって、障子を容易かつ確実に固定できる。また、室内側からビスを外すことで障子を容易に外すことができる。
【００１５】
本発明の請求項７に係る嵌め殺し窓では、前記被係止部材は、その一端側が前記上枠または前記上框の一方に固定され、かつ、その他端側に当該一方の上枠または上框から他方に向かって突出した突出部を有しており、前記係止手段は、前記被係止部材の突出部を挟持することで当該被係止部材を係止する係止状態位置と、前記突出部を挟持しない非係止状態位置とに移動可能とされ、かつ、室内側から操作可能に前記上枠または前記上框の他方に設けられた係止部材で構成されることを特徴とする。
このような構成では、挟持部を有した係止部材を操作し、上枠または上框のいずれかに固定された被係止部材の突出部を挟持部で挟持する係止状態位置に係止部材を移動することによって、障子を容易かつ確実に固定できる。また、室内側から係止部材を操作し、非係止状態位置に移動することで、障子を容易に外すことができる。さらに、ビスをねじ止めする作業が不要で、より一層簡単に障子の取り付けができる。
【００１６】
本発明の請求項８に係る嵌め殺し窓では、前記上枠または前記上框の一方には、他方の上枠または上框に設けられた被係止部を係止する係止部を有し、かつ、弾性材料からなる仮止部材が設けられ、前記仮止部材の係止部が前記被係止部に向かって付勢され、当該被係止部を係止することで、前記障子が前記窓枠の所定位置に仮止めされることを特徴とする。
このような構成では、上枠または上框のいずれかに取り付けられた仮止部材によって障子を仮止めすることができ、障子の取付作業中に作業者が障子を保持しておく必要がなく、取付作業に係る人手を減らし、作業を迅速に行うことができる。
【００１７】
本発明の請求項９に係る嵌め殺し窓は、上枠、下枠、および左右の縦枠を四周枠組みした窓枠と、上框、下框、および左右の竪框を四周框組みして面材を組み込んだ障子とを備え、前記窓枠に前記障子を取り付けて形成される嵌め殺し窓であって、前記障子の下框は、前記窓枠の下枠に対して少なくとも室内外方向に移動不能に係止され、前記上枠または前記上框の一方には、弾性材料からなり、かつ、前記上枠または前記上框の他方に向かって付勢され、当該他方に設けられた被係合部に係合する係合部を有する係合部材が室内側から着脱可能に固定され、前記係合部材の係合部が前記被係合部に係合して、前記上框が前記上枠に対して少なくとも室内外方向に移動不能にされたことを特徴とする。
【００１８】
このような本発明によれば、上枠または上框の一方にビス止めされた弾性材料からなる係合部材の係合部が、他方に設けられた被係合部と係合するように付勢されることによって、係合部が被係合部から容易に外れず、障子を窓枠に確実に固定できる。従って、下框が係止された状態で、上框を上枠に固定することによって障子が上下で確実に固定され、従来のように竪框と縦枠とを固定しなくても、障子が、窓枠に対して倒れたり、外れることなく、嵌め殺し窓を構成できる。また、従来のように竪框と縦枠とをそれぞれ複数箇所固定する場合と比較し、固定箇所数や固定作業の手間が少なくなるので、部品点数を低減し作業手間を軽減できる。さらに、室内側から着脱自在に取り付けられた係合部材を外すことによって、障子を容易に外すことができる。
【００１９】
本発明の請求項１０に係る嵌め殺し窓では、前記係合部材は、板材から形成され、前記上框の室内面より室内側まで前記上枠に沿って延び、当該上枠にビス止めされる取付面部と、この取付面部の室外側端から室内方向に向かって斜め下方に傾斜して延びる傾斜面部とを備え、前記係合部は、前記傾斜面部の室内側端縁に設けられ、前記被係合部は、前記上框から前記上枠に向かって突出する突片で形成され、前記係合部が室外側から当接する当接面を備えて構成されたことを特徴とする。
このような構成では、室外側から障子を室内方向に押し込むだけで、障子の上框に設けられた被係合部に弾性材料からなる係合部材の係合部が嵌り、被係合部の当接面に係合部が室外側から当接することによって、上框の室内外方向に関する移動を規制し、障子を容易かつ確実に固定できる。
【００２０】
本発明の請求項１１に係る嵌め殺し窓では、前記係合部材は、板材から断面クランク状に形成され、前記上框の室内面より室内側まで延長された位置で前記上枠にビス止めされており、前記係合部は、前記係合部材の室外側に設けられた係合孔であり、前記被係合部は、室内側に向かって高さが低くなる断面略楔形に形成され、前記係合孔と嵌合する突起部材で構成されたことを特徴とする。
このような構成では、室外側から障子を室内方向に押し込むだけで、障子の上框に設けられた突起部材に弾性材料からなる係合部材の係合孔が嵌り、上框の室内外方向に関する移動を規制し、障子を容易かつ確実に固定できる。また、係合部材の係合孔に突起部材が嵌合することで、室内外方向のみならず、窓枠の見付け方向に関しても障子の移動を規制できる。
【００２１】
【発明の実施の形態】
以下、本発明の各実施形態を図面に基づいて説明する。なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図面においては図面を見やすくするために、窓枠や障子等の主要な構成部材には断面を示すハッチングを省略して記載している。
【００２２】
〔第１実施形態〕
図１ないし図３に、第１実施形態に係るＦＩＸ窓（嵌め殺し窓）１を示す。図１は、ＦＩＸ窓１の取り付け状態を示す縦断面図であり、図２および図３はそれぞれ、ＦＩＸ窓１の要部を拡大して示す縦断面図および斜視図である。
図１ないし図３において、ＦＩＸ窓１は、図示しない建物躯体に固定された窓枠１０に、室外側から障子３０を取り付けて形成されている。
窓枠１０は、上枠１１、下枠１２、および左右の縦枠１３を四周枠組み接合して形成されている。上枠１１および下枠１２は、それぞれアルミ形材製の室外部材１１Ａ，１２Ａと室内部材１１Ｂ，１２Ｂとが、ウレタン樹脂製の断熱部材１１Ｃ、１２Ｃで連結されて、一体の枠材とされている。左右の縦枠１３も同様に、図示しない室外部材、室内部材および断熱部材で構成されている。
【００２３】
障子３０は、上框３１、下框３２、および左右の竪框３３を四周框組み接合した内周面に、面材としての複層ガラス３４が複層ガスケット３５を介して嵌合されて形成されている。上框３１および下框３２は、それぞれアルミ形材製の室外部材３１Ａ，３２Ａと室内部材３１Ｂ，３２Ｂとが、ウレタン樹脂製の断熱部材３１Ｃ、３２Ｃで連結されて、一体の框材とされている。左右の竪框３３も同様に、図示しない室外部材、室内部材および断熱部材で構成されている。
【００２４】
窓枠１０の下枠１２には、室外部材１２Ａの上面の少なくとも１箇所に、位置決め部材１４がビス止め固定されている。位置決め部材１４は、金属製または合成樹脂製の平面矩形状の部材で、障子３０の下框３２の室内部材３２Ｂ下面に設けられた位置決め孔３６と嵌合可能とされている。位置決め部材１４と位置決め孔３６とが嵌合した状態において、下框３２の下面は、位置決め部材１４の室外側に設けられた載置部１４Ａに載置され、障子３０の荷重が支持される。
また、位置決め部材１４の室内側側面に設けられた当接面１４Ｂと位置決め孔３６の室内側面とが当接することで、障子３０の下框３２が室外方向へ移動不能に係止される。この際、位置決め部材１４の下枠１２の長手方向に面した側面と、位置決め孔３６の側面とが当接することにより、窓枠１０の見付け方向への障子３０の移動が規制される。
さらに、位置決め部材１４の上面には、室内側に向かって下がる勾配を有する傾斜面１４Ｃが形成され、障子３０の下框３２を載置する際に、位置決め孔３６を室内側に案内するようになっている。
なお、位置決め部材１４は、下枠１２の上面１箇所に限らず、下枠１２の長手方向について２箇所以上に固定されていてもよい。
【００２５】
窓枠１０の上枠１１、下枠１２、および縦枠１３の内周面には、障子３０を所定の位置に取り付けた状態（図１中、二点鎖線で示す）において、障子の上框３１、下框３２、および竪框３３の室内側側面と当接するシール材（気密材）１５が取り付けられている。また、上枠１１、下枠１２、および縦枠１３の室外側側面にも同様のシール材１６が取り付けられている。これらのシール材１５，１６によって、ＦＩＸ窓１の気密性が確保されている。また、シール材１５，１６および各シール材１５，１６が取り付けられている窓枠１０の各枠部材によって、障子３０の室内方向への移動が規制されている。
【００２６】
上枠１１または上框３１の一方としての上枠１１には、その長手方向について少なくとも２箇所の室外部材１１Ａの下面に、係合部材４０がビス止め固定されている。
係合部材４０は、金属製の弾性板材から曲げ加工により全体略鉤形に形成され、上枠１１の下面に一端側としての固定部４１がビス止めされる。係合部材４０の固定部４１と反対側には、他端側としての被規制部４２が、上枠１１の室内部材１１Ｂの内部まで略水平に延びて形成されている。係合部材４０の中間部分には、室外側から室内側へ向かって下方へ傾斜した傾斜面部４４と、この傾斜面部４４の室内側端部から略鉛直に曲げ上げられた面との２面で、下向き凸形の係合部としての係合突部４３が形成されている。また、この係合突部４３の室内側側面は、当接面４３Ａとされている。
【００２７】
上枠１１または上框３１の他方としての上框３１には、その室内部材３１Ｂの上面室内側に、断面略凹状の被係合部としての溝部３７が形成されている。溝部３７は、上框３１の室内側端縁を形成する部分に、上方に突出する突片３７Ａを有している。障子３０を窓枠１０の所定の位置に取り付けた状態において、突片３７Ａの室外側の側面と、係合突部４３の当接面４３Ａとが当接することで、上框３１の室外側への移動が規制された係合状態となっている。
この際、係合突部４３は、係合部材４０の弾性力により溝部３７に向かって付勢され、溝部３７に圧接されて係合状態位置を維持するようになっている。また、係合部材４０の被規制部４２側を上枠１１の方向へ押し上げることで、係合突部４３は溝部３７から外れた非係合状態位置に移動可能となっている。
そして、上框３１の固定に際しては係合突部４３が係合状態位置にある状態で、係合部材４０の被規制部４２が、上枠１１の室内側から規制手段としてのビス４５によって上枠１１に固定される。
【００２８】
以上の構成を備える本実施形態における障子３０の取付方法について、以下に説明する。
先ず、図示しない建物の躯体等にビス止め等によって固定された窓枠１０に対し、障子３０を垂直に対して上框３１側が下框３２側より室外側になるように斜めにして、下框３２に形成された位置決め孔３６を、下枠１２に固定された位置決め部材１４に合わせながら、障子３０を位置決め部材１４に載置する。
次に、障子３０を垂直方向へ起こしながら、下枠１２側では、位置決め部材１４と位置決め孔３６とを嵌合する。同時に、上枠１１側では、障子３０を室内方向へ押し込む際に、上框３１の突片３７Ａが係合部材４０の中間部分の傾斜面部４４を付勢力に抗して押し上げながら、係合突部４３の室内側まで達する。この状態で、係合部材４０の係合突部４３が上框３１の溝部３７に係合し、係合状態となる。この際、係合部材４０の弾性力により係合突部４３が、上框３１の溝部３７へ向かって付勢されているため、係合突部４３は溝部３７から容易に外れず、障子３０が室外側へ倒れないように仮止めされる。
最後に、窓枠１０の上枠１１を室内側から貫通したビス４５によって、係合部材４０の被規制部４２を上枠１１にビス止め固定し、係合部材４０の上方への移動を規制する。以上の取付作業により、係合部材４０の係合状態が維持され、障子３０が窓枠１０に固定される。
【００２９】
また、本実施形態における障子３０の取り外し方法について、以下に説明する。
室内側からビス４５を外し、シール材１５と障子３０の上框３１との間から差金２を差し入れ、係合部材４０の一部を押し上げる。これにより、係合部材４０の被規制部４２側が固定部４１を基端として上方に移動され、係合突部４３が上框３１の溝部３７から外れ、非係合状態位置に移動する。この状態で、障子３０を室外側へ押せば、障子３０は、下枠１２の位置決め部材１４を支点として室外側へ倒れるので、下框３２の位置決め孔３６を位置決め部材１４から外すことで、障子３０が窓枠１０から取り外される。
【００３０】
このような本実施形態によれば、次のような効果がある。
（１）　上枠１１に固定された係合部材４０の係合突部４３と、障子３０の上框３１に形成された溝部３７とが係合して、上框３１の室外側への移動が規制された係合状態となり、係合部材４０が上枠１１にビス止め固定されることによって、係合部材４０の移動を規制し係合状態が維持され、障子３０が窓枠１０に固定される。従って、従来の方法のように竪框３３と縦枠１３とを固定する場合と比較し、上框３１を上枠１１に固定するだけでよいため、固定箇所数や固定作業の手間が少なくなるので、部品点数を低減し作業手間を軽減できる。
【００３１】
（２）　室内側から通常目に付きやすい竪框３３および縦枠１３を固定することなく、目に付きにくい上框３１および上枠１１の部分で固定することによって、固定部分が目立たず、ＦＩＸ窓１の内観の意匠性向上を図ることができる。
【００３２】
（３）　障子３０を着脱自在に取り付けることによって、障子３０の交換が容易になり、施工後のデザイン変更に対応できるとともに、複層ガラス３４の破損や複層ガスケット３５の劣化に際しても、簡単に補修、交換を行うことができる。
【００３３】
（４）　係合部材４０の被規制部４２をビス４５で上枠１１に固定し、係合状態を維持することによって、ビス４５を締めるだけの作業で障子３０を固定できるので取付作業を容易にできるとともに、ビス４５を外し差金２で係合部材４０を押し上げるだけで障子３０を容易に外すことができる。
【００３４】
（５）　弾性材料から形成された係合部材４０の弾性力によって、係合突部４３が上枠１１方向へ付勢されており、障子３０の上框３１を上枠１１に押し込むだけで、係合突部４３が溝部３７と係合することによって、障子３０を窓枠１０に仮止めすることができる。従って、障子３０の取付作業中に作業者が障子３０を保持しておく必要がなく、取付作業に係る人手を減らし、作業を迅速に行うことができる。
【００３５】
〔第２実施形態〕
図４ないし図６に、第２実施形態に係るＦＩＸ窓１を示す。図４は、ＦＩＸ窓１の取り付け状態を示す縦断面図であり、図５および図６（Ａ），（Ｂ）はそれぞれ、ＦＩＸ窓１の要部を拡大して示す縦断面図および斜視図である。
第２実施形態に係るＦＩＸ窓１は、係合部材および非係合部の形状と、規制手段とが、前述の第１実施形態の場合と異なるもので、その他の窓枠１０や障子３０等の構成要件は第１実施形態と同様である。従って、第１実施形態と異なる構成要件について、以下に説明する。
【００３６】
図４ないし図６において、上枠１１または上框３１の一方としての上枠１１には、その長手方向について少なくとも２箇所の室外部材１１Ａの下面に、係合部材５０がビス止め固定されている。
係合部材５０は、金属製の弾性板材から曲げ加工により全体略鉤形に形成され、上枠１１の下面に一端側としての固定部５１がビス止めされる。係合部材５０の固定部５１と反対側には、他端側としての被規制部５２が、上框３１よりも室内側まで略水平に延びて、先端に下向きの折れ曲がりが形成されている。係合部材５０の中間部分には、室外側から室内側へ向かって下方へ傾斜した傾斜面部５４と、この傾斜面部５４の室内側端部から略鉛直に曲げ上げられた面との２面で、下向き凸形の係合部としての係合突部５３が形成されている。また、この係合突部５３の室内側側面は、当接面５３Ａとされている。
【００３７】
上枠１１または上框３１の他方としての上框３１には、その室内部材３１Ｂの上面に、断面略凹状の被係合部としての係合孔３８が形成されている。障子３０を窓枠１０の所定の位置に取り付けた状態において、係合孔３８の室内側端縁３８Ａと、係合突部５３の当接面５３Ａとが当接することで、上框３１の室外側への移動が規制された係合状態となっている。
この際、係合突部５３は、係合部材５０の弾性力により下方に付勢され、係合孔３８に嵌入されて係合状態位置を維持するようになっている。また、係合部材５０の被規制部５２側を上枠１１の方向へ押し上げることで、係合突部５３は係合孔３８から外れた非係合状態位置に移動可能となっている。
【００３８】
上枠１１の室内部材１１Ｂには、合成樹脂製の規制手段としての規制部材５５が、その軸部５５Ａを挿通するビス５８によって軸支され、水平面内回転可能に取り付けられている。規制部材５５は、軸部５５Ａから略水平方向に延びる規制部５６と、軸部５５Ａの下端に固定され、規制部５６と略直交する方向に延びる操作部５７とで、平面略Ｌ字形に形成されている。規制部材５５は、図６（Ａ）に示すように、規制部５６が上枠１１の長手方向に沿った非規制状態位置から、矢印で示す方向に回転することで、図６（Ｂ）に示すように、規制部５６が室外方向に沿って配置され、係合部材５０の被規制部５２の上面に当接する規制状態位置まで移動可能となっている。
係合突部５３が係合孔３８に係合した係合状態において、係合部材５０の被規制部５２の上面と上枠１１との間に、規制部材５５の規制部５６が挿入されることによって、係合突部５３の上方への移動が規制される。
【００３９】
以上の構成を備える本実施形態における障子３０の取付方法および取り外し方法は、前述の第１実施形態の場合とほぼ同様であるが、異なる点についてのみ、以下に説明する。
障子３０の下框３２を下枠１２の位置決め部材１４に載置、嵌合した後、上枠１１側において、障子３０を室内方向へ押し込む際に、上框３１の上面が係合部材５０の中間部分の傾斜面部５４を付勢力に抗して押し上げながら、係合孔３８が係合突部５３まで達する。この状態で、係合部材５０の係合突部５３が、上框３１の係合孔３８に係合し、係合状態となる。この際、係合部材５０の弾性により係合突部５３が、係合孔３８へ向かって付勢されているため、係合突部５３は係合孔３８から容易に外れず、障子３０が室外側へ倒れないように仮止めされる。そして、上枠１１に取り付けられた規制部材５５の操作部５７操作し、規制部５６が係合部材５０の被規制部５２の上面に当接した規制状態位置となるように規制部材５５を回転させ、係合部材５０の上方への移動を規制する。以上の取付作業により、係合部材５０の係合状態が維持され、障子３０が窓枠１０に固定される。
【００４０】
次に、障子３０を取り外す場合、規制部材５５の操作部５７を操作し、規制部５６が上枠１１の長手方向に沿った非規制状態位置となるように規制部材５５を回転させ、図示しない差金により係合部材５０の一部を押し上げる。これにより、係合突部５３が固定部５１を基端として上方に移動され、上框３１の係合孔３８から外れた非係合状態となり、障子３０を窓枠１０から取り外すことができる。
【００４１】
このような本実施形態によれば、前述の（２），（３）の効果に加えて、次のような効果がある。
（６）　上枠１１に固定された係合部材５０の係合突部５３と、障子３０の上框３１に形成された係合孔３８とが係合して、上框３１の室外側への移動が規制された係合状態となり、係合部材５０の上方への移動が規制部材５５の規制部５６で規制され、係合状態が維持されることによって、障子３０が窓枠１０に固定される。従って、従来の方法のように竪框３３と縦枠１３とを固定する場合と比較し、上框３１を上枠１１に固定するだけでよいため、固定箇所数や固定作業の手間が少なくなるので、部品点数を低減し作業手間を軽減できる。
【００４２】
（７）　係合部材５０の被規制部５２を規制部材５５の規制部５６で規制し、係合状態を維持することによって、規制部材５５の操作部５７を室内側から操作し、規制部材５５を回転させるだけの作業で障子３０を固定できるので取付作業を容易にできるとともに、規制部材５５を逆方向に回転させ差金等で係合部材４０を押し上げるだけで障子３０を容易に外すことができる。
【００４３】
（８）　弾性材料から形成された係合部材５０の弾性力によって、係合突部５３が上框３１の方向へ付勢されており、障子３０の上框３１を上枠１１に押し込むだけで、係合突部５３が係合孔３８と係合することによって、障子３０を窓枠１０に仮止めすることができる。従って、障子３０の取付作業中に作業者が障子３０を保持しておく必要がなく、取付作業に係る人手を減らし、作業を迅速に行うことができる。
【００４４】
〔第３実施形態〕
図７ないし図９に、第３実施形態に係るＦＩＸ窓１を示す。図７は、ＦＩＸ窓１の取り付け状態を示す縦断面図であり、図８および図９はそれぞれ、ＦＩＸ窓１の要部を拡大して示す縦断面図および斜視図である。
第３実施形態に係るＦＩＸ窓１は、前述の第１実施形態の係合部材に換えて被係止部材を配置し、この被係止部材を係止することで上框３１を上枠１１に固定する点が第１実施形態の場合と異なるもので、その他の窓枠１０や障子３０等の構成要件は第１実施形態と同様である。従って、第１実施形態と異なる構成要件について、以下に説明する。
【００４５】
図７ないし図９において、上框３１の室内部材３１Ｂの上面には、被係止部材６０が、上框３１の長手方向について少なくとも２箇所に、ビス止め固定されている。
被係止部材６０は、金属製の板材から断面クランク状に形成され、上框３１の上面にビス止めされる一端側としての固定部６１と、上框３１よりも室内側まで延びる他端側としての被係止部６２とを備えている。被係止部材６０の中間部分には、下向きの突片６０Ａが形成されている。上框３１の上面には、溝部３７が形成され、溝部３７の室内側端縁には、上方に突出する突片３７Ａが形成されている。被係止部材６０の突片６０Ａの室内側側面と溝部３７の突片３７Ａの室外側側面とが当接することで、被係止部材６０を上框３１に位置決めでき、ビス止めと合わせてより確実に取り付けられる。
【００４６】
窓枠１０の上枠１１には、室外部材１１Ａの下面に、弾性部材からなる仮止部材６６がビス止め固定されている。仮止部材６６は、前述の第２実施形態における係合部材５０と略同一形状に形成されて、下向き凸状の係止部６７および傾斜面部６８を備えている。また、仮止部材６６は、上框３１に取り付けられた被係止部材６０と平面的に重ならない位置に取り付けられている。
【００４７】
障子３０を窓枠１０の所定の位置に取り付けた状態において、被係止部材６０の被係止部６２が、上枠１１の室内部材１１Ｂの内部まで延び、室内側から上枠１１を貫通するビス６５によって上枠１１に固定される。
【００４８】
以上の構成を備える本実施形態における障子３０の取付方法および取り外し方法は、前述の第１実施形態の場合とほぼ同様であるが、異なる点についてのみ、以下に説明する。
障子３０の下框３２を下枠１２の位置決め部材１４に載置、嵌合した後、上枠１１側において、障子３０を室内方向へ押し込み、上框３１に取り付けられた被係止部材６０の被係止部６２を、上枠１１の室内部材１１Ｂの内部に挿通する。この際、障子３０は下枠１２に取り付けられた位置決め部材１４を支点にして、立て起こしながら窓枠１０内に取り付けられるため、被係止部材６０の室内側へ突出した被係止部６２が、取り付け途中で上枠１１にぶつからないように、被係止部材６０の形状、大きさが設定されている。また、上框３１の突片３７Ａが仮止部材６６の中間部分の傾斜面部６８を付勢力に抗して押し上げながら、係止部６７の室内側まで達した状態で、仮止部材６６の弾性により係止部６７が、上框３１の溝部３７に嵌り、溝部３７の突片３７Ａに当接することで、障子３０が室外側へ倒れないように仮止めされる。そして、室内側からビス６５を締めることによって、被係止部材６０の被係止部６２を上枠１１に固定する。以上の取付作業により、上框３１に取り付けられた被係止部材６０が上枠１１に固定され、障子３０が窓枠１０に固定される。
【００４９】
次に、障子３０を取り外す場合、ビス６５を外し、被係止部材６０の被係止部６２の固定を解除し、シール材１５と障子３０の上框３１との間から差金２を差し入れ、仮止部材６６の一部を押し上げる。これにより、仮止部材６６の係止部６７が上框３１の溝部３７から外れ、障子３０を窓枠１０から取り外すことができる。
【００５０】
このような本実施形態によれば、前述の（２），（３）の効果に加えて、次のような効果がある。
（９）　上框３１に固定された被係止部材６０の被係止部６２を、室内側から上枠１１にビス止め固定することによって、障子３０が窓枠１０に固定される。従って、従来の方法のように竪框３３と縦枠１３とを固定する場合と比較し、上框３１を上枠１１に固定するだけでよいため、固定箇所数や固定作業の手間が少なくなるので、部品点数を低減し作業手間を軽減できる。
【００５１】
（１０）　室内側からビス６５を締めるだけの作業で障子３０を固定できるので取付作業を容易にできるとともに、ビス６５を外し、差金２で仮止部材６６を押し上げるだけで障子３０を容易に外すことができる。
【００５２】
（１１）　弾性材料から形成された仮止部材６６の弾性力によって、係止部６７が上框３１方向へ付勢され、溝部３７を係止することによって、障子３０を窓枠１０に仮止めすることで、障子３０の取付作業中に作業者が障子３０を保持しておく必要がなく、取付作業に係る人手を減らし、作業を迅速に行うことができる。
【００５３】
〔第４実施形態〕
図１０ないし図１２に、第４実施形態に係るＦＩＸ窓１を示す。図１０は、ＦＩＸ窓１の取り付け状態を示す縦断面図であり、図１１および図１２（Ａ），（Ｂ）はそれぞれ、ＦＩＸ窓１の要部を拡大して示す縦断面図および斜視図である。
第４実施形態に係るＦＩＸ窓１は、被係止部材の形状および固定方法が、前述の第３実施形態の場合と異なるもので、その他の窓枠１０や障子３０等の構成要件は第３実施形態と同様である。従って、第３実施形態と異なる構成要件について、以下に説明する。
【００５４】
図１０ないし図１２において、上框３１の室内部材３１Ｂの上面には、被係止部材７０が、上框３１の長手方向について少なくとも２箇所に、ビス止め固定されている。
被係止部材７０は、金属製の板材から断面略Ｌ字形に形成され、上框３１の上面にビス止めされる一端側としての固定部７１と、上框３１から上方に延びる他端側としての突出部７２とを備えている。被係止部材７０の下方延長位置には、下向きの突片７０Ａが形成されている。上框３１の上面には、溝部３７が形成され、溝部３７の室内側端縁には、上方に突出する突片３７Ａが形成されている。被係止部材７０の突片７０Ａの室内側側面と溝部３７の突片３７Ａの室外側側面とが当接することで、被係止部材７０を上框３１に位置決めでき、ビス止めと合わせてより確実に取り付けられる。
【００５５】
上枠１１の室内部材１１Ｂには、金属製または合成樹脂製の係止部材７５が、上枠１１の形材内に上枠１１の長手方向に沿ってスライド移動可能に取り付けられている。係止部材７５は、室外側に延びる係止部７６と、この係止部７６の下方で上枠１１の長手方向に延びる操作部７７とで一体に形成されている。係止部材７５は、図１２（Ａ）に示すように、被係止部材７０と平面的に重ならない位置から、矢印で示す方向にスライドすることで、図１２（Ｂ）に示すように、係止部７６に形成された係止溝７６Ａが被係止部材７０の突出部７２を挟持する係止状態位置まで移動可能とされている。係止溝７６Ａの室外側側面は、室内側へ向かって楔状に形成され、被係止部材７０の突出部７２を挟持した状態で、被係止部材７０を室内側に引き寄せる作用を備えている。
【００５６】
障子３０を窓枠１０の所定の位置に取り付けた状態において、被係止部材７０の突出部７２が、係止部７６に形成された係止溝７６Ａによって挟持されることで、障子３０の上框３１が上枠１１に固定される。
なお、本実施形態において、障子３０を窓枠１０に仮止めする仮止部材について示さなかったが、前述の第３実施形態で説明した仮止部材６６と同様の部材を備え、障子３０と窓枠１０とが仮止めされる構成とすることも可能である。
【００５７】
以上の構成を備える本実施形態における障子３０の取付方法および取り外し方法は、前述の第３実施形態の場合とほぼ同様であるが、異なる点についてのみ、以下に説明する。
障子３０の下框３２を下枠１２の位置決め部材１４に載置、嵌合した後、障子３０の上框３１側を窓枠１０内周の所定の位置に移動する。この際、障子３０は下枠１２に取り付けられた位置決め部材１４を支点にして、立て起こしながら窓枠１０内に取り付けられるため、被係止部材７０の突出部７２が、取り付け途中で上枠１１にぶつからないように、被係止部材７０の形状、大きさが設定されている。次に、室内側から係止部材７５の操作部７７を操作し、係止部材７５をスライドさせ、被係止部材７０の突出部７２を係止部材７５の係止溝７６Ａで挟持し、固定する。以上の取付作業により、上框３１に取り付けられた被係止部材７０が上枠１１に固定され、障子３０が窓枠１０に固定される。
【００５８】
次に、障子３０を取り外す場合、室内側から係止部材７５の操作部７７を操作し、係止部材７５を取付時とは逆方向にスライドさせ、被係止部材７０の突出部７２から係止部材７５の係止溝７６Ａを外した非係止状態位置に移動し、固定を解除する。これにより、障子３０を窓枠１０から取り外すことができる。
【００５９】
このような本実施形態によれば、前述の（２），（３）の効果に加えて、次のような効果がある。
（１２）　上框３１に固定された被係止部材７０の突出部７２を、上枠１１にスライド可能に取り付けられた係止部材７５の係止溝７６Ａで挟持し、固定することによって、障子３０が窓枠１０に固定される。従って、従来の方法のように竪框３３と縦枠１３とを固定する場合と比較し、上框３１を上枠１１に固定するだけでよいため、固定箇所数や固定作業の手間が少なくなるので、部品点数を低減し作業手間を軽減できる。
【００６０】
（１３）　係止部材７５の係止溝７６Ａは、室内側へ向かって楔状に形成され、被係止部材７０の突出部７２を挟持した状態で、被係止部材７０を室内側に引き寄せることによって、室外側から取り付けられる障子３０の上框３１を確実に窓枠１０に密着、固定できる。
【００６１】
（１４）　室内側から係止部材７５の操作部７７を操作し、係止部材７５をスライドして係止状態位置に移動するだけの作業で障子３０を固定できるので取付作業を容易にできるとともに、係止部材７５を逆方向にスライドさせて非係止状態位置に移動するだけで障子３０を容易に外すことができる。
【００６２】
〔第５実施形態〕
図１３ないし図１５に、第５実施形態に係るＦＩＸ窓１を示す。図１３は、ＦＩＸ窓１の取り付け状態を示す縦断面図であり、図１４および図１５はそれぞれ、ＦＩＸ窓１の要部を拡大して示す縦断面図および斜視図である。
第５実施形態に係るＦＩＸ窓１は、係合部材の形状および取付位置、係合方法が、前述の第１実施形態の場合と異なるもので、その他の窓枠１０や障子３０等の構成要件は第１実施形態と同様である。従って、第１実施形態と異なる構成要件について、以下に説明する。
【００６３】
図１３ないし図１５において、上枠１１には、上枠１１の長手方向について少なくとも２箇所に、係合部材８０がビス止め固定されている。
係合部材８０は、金属製の弾性材料からなる板材を曲げ加工により断面略コ字形に形成され、上枠１１に沿って室内側まで延びた取付面部８１が、上枠１１の内側にビス８５により固定されている。係合部材８０の他端側で、室外側から室内側に向かって斜めに下がる傾斜面部８４の先端縁が係合部８２とされている。上枠１１の室内側下面には、ビス８５を隠して見えなくする合成樹脂製のビス隠し８６が、嵌め込まれている。
【００６４】
上框３１の上面には、溝部３７が形成され、溝部３７の室内側端縁には、上方に突出する突片３７Ａが形成されている。障子３０を所定の取付位置に設置した状態において、係合部材８０の係合部８２が溝部３７の突片３７Ａの当接面としての室外側側面に当接することで、上框３１の室外側への移動が規制される。この際、係合部材８０の弾性力により係合部８２が溝部３７に向かって付勢され、溝部３７に圧接されている。
【００６５】
以上の構成を備える本実施形態における障子３０の取付方法および取り外し方法は、前述の第１実施形態の場合とほぼ同様であるが、異なる点についてのみ、以下に説明する。
障子３０の下框３２を下枠１２の位置決め部材１４に載置、嵌合した後、上枠１１側において、上枠１１に取り付けられた係合部材８０の室外側から室内側に向かって斜めに下がる傾斜面部８４を、上框３１の溝部３７端縁の突片３７Ａで付勢力に抗して押し上げながら、障子３０を所定の取付位置まで移動する。上框３１が所定の取付位置に達した状態において、係合部材８０自身の弾性力により下方へ移動し係合部８２が溝部３７に嵌り、溝部３７の突片３７Ａに当接する。従って、係合部材８０によって上框３１の室外側への移動が規制される。以上の取付作業により、上框３１が上枠１１に固定され、すなわち、障子３０が窓枠１０に固定される。
【００６６】
次に、障子３０を取り外す場合、ビス隠し８６およびビス８５を外し、障子３０を室外側へ押せば、係合部材８０の係合部８２が上框３１の溝部３７と係合したままの状態で、障子３０とともに係合部材８０も室外側へ移動する。従って、障子３０を窓枠１０から取り外すことができる。障子３０を取り外すと、係合部材８０も取り外されてしまうので、再度、障子３０を取り付ける際には、係合部材８０を上枠１１にビス止め固定してから、障子３０を取り付けることとなる。
【００６７】
このような本実施形態によれば、前述の（２），（３）の効果に加えて、次のような効果がある。
（１５）　上枠１１に取り付けられた係合部材８０が、上框３１に形成された溝部３７と係合することによって、障子３０が窓枠１０に固定される。従って、従来の方法のように竪框３３と縦枠１３とを固定する場合と比較し、上框３１を上枠１１に固定するだけでよいため、固定箇所数や固定作業の手間が少なくなるので、部品点数を低減し作業手間を軽減できる。
【００６８】
（１６）　係合部８２と溝部３７の突片３７Ａとが当接することによって、室外側から取り付けられる障子３０の上框３１の室外方向への移動が規制され、障子３０を確実に窓枠１０に固定することができる。
【００６９】
（１７）　障子３０の上框３１を室外側から室内側に押し込むだけで、係合部材８０の弾性力によって係合部８２が上框３１の溝部３７に係合するため、障子３０を窓枠１０に容易に固定することができ、また、室内側からビス８５を外すだけで障子３０を容易に外すことができる。
【００７０】
〔第６実施形態〕
図１６ないし図１８に、第６実施形態に係るＦＩＸ窓１を示す。図１６は、ＦＩＸ窓１の取り付け状態を示す縦断面図であり、図１７および図１８はそれぞれ、ＦＩＸ窓１の要部を拡大して示す縦断面図および斜視図である。
第６実施形態に係るＦＩＸ窓１は、係合部材の形状および係合方法が、前述の第５実施形態の場合と異なるもので、その他の窓枠１０や障子３０等の構成要件は第５実施形態と同様である。従って、第５実施形態と異なる構成要件について、以下に説明する。
【００７１】
図１６ないし図１８において、窓枠１０の上枠１１には、上枠１１の長手方向について少なくとも２箇所に、係合部材９０がビス止め固定されている。
係合部材９０は、金属製の弾性材料からなる板材を曲げ加工によりクランク状に形成され、上枠１１に沿って室内側まで延びた固定部９１が、上枠１１の内側にビス９５により固定されている。係合部材９０の他端側で、室外側に延びる面には、平面矩形状の係合孔９２が形成され、この係合孔９２より室外側の先端は、斜め上方に曲げ上げられた傾斜面部９４とされている。上枠１１の室内側下面には、ビス９５を隠して見えなくする合成樹脂製のビス隠し９６が、嵌め込まれている。
【００７２】
上框３１の上面には、溝部３７が形成され、この溝部３７には、合成樹脂製または金属製の突起部材９７がビス止め固定されている。突起部材９７は、その上面が室外側から室内側に向かって高さが次第に低くなるように断面略楔状に形成され、室外側に面して当接面９７Ａを有している。障子３０を所定の取付位置に設置した状態において、係合部材９０の係合孔９２の室外側端縁９２Ａが、突起部材９７の当接面９７Ａに当接することで、上框３１の室外側への移動が規制される。また、係合部材９０の弾性力により係合孔９２が突起部材９７の下方に向かって付勢され、突起部材９７が容易に外れなくされている。
【００７３】
以上の構成を備える本実施形態における障子３０の取付方法および取り外し方法は、前述の第５実施形態の場合とほぼ同様であるが、異なる点についてのみ、以下に説明する。
障子３０の下框３２を下枠１２の位置決め部材１４に載置、嵌合した後、上枠１１側において、上枠１１に取り付けられた係合部材９０の室外側に向かって斜めに曲げ上げられた傾斜面部９４を、突起部材９７で付勢力に抗して押し上げながら、障子３０を所定の取付位置まで移動する。上框３１が所定の取付位置に達した状態において、係合部材９０がそれ自身の弾性力により下方へ移動し、係合孔９２が突起部材９７に嵌り、係合孔９２の室外側端縁９２Ａが、突起部材９７の当接面９７Ａに当接する。従って、係合部材９０によって上框３１の室外側への移動が規制される。以上の取付作業により、上框３１が上枠１１に固定され、すなわち、障子３０が窓枠１０に固定される。
【００７４】
次に、障子３０を取り外す場合、ビス隠し９６およびビス９５を外し、障子３０を室外側へ押せば、係合部材９０の係合孔９２が突起部材９７と係合したままの状態で、障子３０とともに係合部材９０も室外側へ移動する。従って、障子３０を窓枠１０から取り外すことができる。障子３０を取り外すと、係合部材９０も取り外されてしまうので、再度、障子３０を取り付ける際には、係合部材９０を上枠１１にビス止め固定してから、障子３０を取り付けることとなる。
【００７５】
このような本実施形態によれば、前述の（２），（３）の効果に加えて、次のような効果がある。
（１８）　上枠１１に取り付けられた係合部材９０が、上框３１に取り付けられた突起部材９７と係合することによって、障子３０が窓枠１０に固定される。従って、従来の方法のように竪框３３と縦枠１３とを固定する場合と比較し、上框３１を上枠１１に固定するだけでよいため、固定箇所数や固定作業の手間が少なくなるので、部品点数を低減し作業手間を軽減できる。
【００７６】
（１９）　係合孔９２の室外側端縁９２Ａと突起部材９７の当接面９７Ａとが当接することによって、室外側から取り付けられる障子３０の上框３１の室外方向への移動が規制され、また、係合孔９２および突起部材９７の互いの室内外方向に沿った側面同士が当接することで、窓枠１０の見付け方向への障子３０の移動をも規制でき、障子３０を確実に窓枠１０に固定することができる。
【００７７】
（２０）　障子３０の上框３１を室外側から室内側に押し込むだけで、係合部材９０の弾性力によって係合孔９２が突起部材９７と係合するため、障子３０を窓枠１０に容易に固定することができ、また、室内側からビス９５を外すだけで障子３０を容易に外すことができる。
【００７８】
なお、本発明を実施するための最良の構成、方法などは、以上の記載で開示されているが、本発明は、これに限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
また、本発明に係る窓枠１０や障子３０を形成するための枠材や框材の形状や材質は、その実施にあたって任意に決められてよく、前記各実施形態で説明した形状や材質に限定されない。
【００７９】
また、前述の各実施形態では、障子３０を窓枠１０の室外側から取り付ける取付方法としたが、これに限らず、室内側から取り付けるものであってもよい。この際、窓枠や障子の形状や取付位置、取付方法は、前述の実施形態の窓枠や障子を変形して適用することができる。また、係合部材の形状や取付位置は、前記各実施形態で説明したものに限らず、適宜、形状や取付位置を変形できる。
例えば、前述の第１、第２実施形態では、係合部材４０，５０の当接面４３Ａ，５３Ａを室内側に向け、上框３１の非係合部の室外側に面した側面に当接することとしたが、係合部材の当接面を室外側に向け、上框の室内側に面した被当接面に当接することができる。このようにすることで、障子の室内方向への移動を規制可能である。
また、前述の第５、第６実施形態では、係合部材８０，９０の傾斜面部８４，９４が室外側から室内側に向かって下がる勾配を有していたが、傾斜面部を室内側から室外側に向かって下がる傾斜とすることができる。このようにすることで、室内側から障子を室外方向へ押し込む際に、傾斜面部を押し上げ、さらに係合部材の弾性力によって係合することができる。
【００８０】
また、前述の各実施形態の係合部材は、窓枠１０や障子３０とは独立した部材とし、上枠１１や上框３１のどちらか一方に取り付ける構成としたが、これに限らず、係合部材は上枠および上框のうちどちらに取り付けてもよく、また、上枠や上框と一体に成形されたものであってもよい。
例えば、前述の第１、第２、第５および第６実施形態では、係合部材４０，５０，８０，９０を窓枠１０の上枠１１に取り付けるものとしたが、これに限らず、障子の上框に取り付け、上枠側に被係合部を形成するものでもよい。
また、前述の第３、第４実施形態では、被係止部材６０，７０を障子３０の上框３１に取り付けるものとしたが、これに限らず、窓枠の上枠に取り付け、障子の上框側から係合部材を係止する構成とすることができる。
【００８１】
また、前述の第１、第２実施形態では、係合部材４０，５０を弾性材料から形成し、この弾性力により係合突部４３，５３を上框の被係合部の方向に付勢し、仮止めできる構成としたが、これに限らず、係合部材をヒンジの回転やスライド等の手段により係合状態と非係合状態との両位置を移動可能に構成し、係合部材とは別部材としての仮止め部材を設置することができる。
また、前述の第１、第２、第３実施形態では、障子３０を窓枠１０から取り外す際に、差金２を用いて係合部材４０，５０または仮止部材６６を非係合位置または非係止位置へ移動することとしたが、これに限らず、上枠と上框の間に挿入し窓枠見付け方向の横方向から操作可能な部材、例えば、断面楔形の部材を係合部材と上框または上枠との間に差し込むことで、係合部材を非係合位置に移動することができる。また、このような部材を予め、上框または上枠に取り付けておくことによって、この部材を操作するだけで、より簡単に窓枠の取り外し作業ができる。
【００８２】
また、前述の各実施形態では、障子３０の下框３２は、下框３２に形成された位置決め孔３６を、窓枠１０の下枠１２上に設置されて上方に突出する位置決め部材１４に嵌合することによって、下枠１２に対して室内外方向および窓枠の見付け方向の２方向に関して移動不能に係止することとしたが、これに限らず、例えば、下枠の長手方向に沿ったレール状の突片を下枠に固定し、下框に形成した断面凹状の溝を下枠の突片に係合することによって、下框の下枠に対する室内外方向への移動を規制することとしてもよい。この場合、前述の第１〜第５実施形態の上框の固定方法では、障子の見付け方向への移動が規制されないため、別途、縦枠および竪框を固定するかあるいは、縦枠および竪框の間にスペーサを挿入する等の手段により、障子の見付け方向の移動を規制することができる。
【００８３】
【発明の効果】
以上に述べたように、本発明の嵌め殺し窓によれば、部品点数を低減でき、かつ、建物への取付作業を簡略化できるという効果がある。
【図面の簡単な説明】
【図１】本発明の第１実施形態に係るサッシを示す縦断面図である。
【図２】前記実施形態の要部を示す縦断面図である。
【図３】前記実施形態の要部を示す斜視図である。
【図４】本発明の第２実施形態に係るサッシを示す縦断面図である。
【図５】前記実施形態の要部を示す縦断面図である。
【図６】（Ａ），（Ｂ）は、前記実施形態の要部を示す斜視図である。
【図７】本発明の第３実施形態に係るサッシを示す縦断面図である。
【図８】前記実施形態の要部を示す縦断面図である。
【図９】前記実施形態の要部を示す斜視図である。
【図１０】本発明の第４実施形態に係るサッシを示す縦断面図である。
【図１１】前記実施形態の要部を示す縦断面図である。
【図１２】（Ａ），（Ｂ）は、前記実施形態の要部を示す斜視図である。
【図１３】本発明の第５実施形態に係るサッシを示す縦断面図である。
【図１４】前記実施形態の要部を示す縦断面図である。
【図１５】前記実施形態の要部を示す斜視図である。
【図１６】本発明の第６実施形態に係るサッシを示す縦断面図である。
【図１７】前記実施形態の要部を示す縦断面図である。
【図１８】前記実施形態の要部を示す斜視図である。
【符号の説明】
１…嵌め殺し窓、１０…窓枠、１１…上枠、１２…下枠、１３…縦枠、３０…障子、３１…上框、３２…下框、３３…竪框、３４…面材である複層ガラス、３７…被係合部である溝部、３７Ａ…突片、３８…被係合部である係合孔、４０，５０，８０，９０…係合部材、４３，５３…係合部である係合突部、４５，６５，８５，９５…ビス、５５…規制部材、５６…規制部、６０，７０…被係止部材、６６…仮止部材、６７…係止部、７２…突出部、７５…係止部材、８１…取付面部、８２…係合部、８４…傾斜面部、９２…係合孔、９７…突起部材。
【図１】
2004052313.tif 000003
【図２】
2004052313.tif 000004
【図３】
2004052313.tif 000005
【図４】
2004052313.tif 000006
【図５】
2004052313.tif 000007
【図６】
2004052313.tif 000008
【図７】
2004052313.tif 000009
【図８】
2004052313.tif 000010
【図９】
2004052313.tif 000011
【図１０】
2004052313.tif 000012
【図１１】
2004052313.tif 000013
【図１２】
2004052313.tif 000014
【図１３】
2004052313.tif 000015
【図１４】
2004052313.tif 000016
【図１５】
2004052313.tif 000017
【図１６】
2004052313.tif 000018
【図１７】
2004052313.tif 000019
【図１８】
2004052313.tif 000020